(57)【要約】【課題】無線帯域の隣接チャンネルからの干渉波に対する耐力がなくなると無線伝送品質が劣化する。その対策として同一無線帯域内の変調方式を低減すると伝送容量が低下する。【解決手段】ＦＤＤポイントツーポイント無線システムにおいて、第一無線装置および第二無線装置のそれぞれに、送信器、受信器、変調器、復調器を各々個別に設定できる手段を有し、隣接チャンネル干渉波を検出し無線伝送品質が劣化しない無線帯域を判断し、無線伝送品質が劣化しない無線占有帯域に変更する機能を有し、さらに各々の変調方式を無線占有帯域の変更に合わせて設定する。隣接チャンネル干渉波が検出されなくなると、隣接チャンネル干渉波による無線伝送品質劣化を回避した設定から、元の設定に戻す。【選択図】図３
2017228911.tif 000002
【特許請求の範囲】
【請求項１】
対向する二つの第一無線装置と第二無線装置の間をポイントツーポイントの無線通信を行う無線通信システムであって、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように各々個別に変調方式を変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の前記第一又は第二無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有することを特徴とする無線通信システム。
【請求項２】
前記制御手段は、前記隣接干渉波検出手段にて隣接チャンネル干渉波が検出されなくなると、隣接チャンネル干渉波による無線伝送品質劣化を回避した設定から、元の設定に戻すために、前記無線周波数変更手段、前記占有帯域変更手段、前記変調方式変更手段により前記受信器の動作周波数、前記復調器の無線占有帯域、前記復調器の変調方式を、無線伝送品質の劣化を回避した設定から元の設定に戻すか、または無線対向する相手側の前記第一又は第二無線装置から前記隣接チャンネル干渉波が検出されなくなった通知を受け取った場合に、前記無線周波数変更手段、前記占有帯域変更手段、前記変調方式変更手段により前記送信器の動作周波数、前記変調器の無線占有帯域、前記変調器の変調方式を、無線伝送品質の劣化を回避した設定から元の設定に戻す請求項１に記載の無線通信システム。
【請求項３】
前記隣接干渉波検出手段は、無線回線帯域と前後の所定の帯域を受信する無線回線受信手段、隣接チャンネル波を含む受信信号から自無線信号を除去する無線信号除去手段、自無線信号を除去された干渉波受信信号を受け自無線回線帯域と前後の所定の帯域の周波数毎の干渉波受信レベルを検出する受信レベル検出手段とを備えた請求項１又は２に記載の無線通信システム。
【請求項４】
対向する二つの第一無線装置と第二無線装置の間をポイントツーポイントの無線通信を行い、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線通信システムの無線通信方法であって、
前記第一無線装置において、
無線回線の受信信号の無線伝送品質が劣化したか否かを検出する検出ステップと、
受信信号の伝送品質が劣化した原因が、自無線装置が使用する無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップと、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する第１の変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二無線装置に、前記隣接チャンネル干渉波による前記受信信号の無線伝送品質の劣化通知を送信する送信ステップと、を行い、
前記第二無線装置において、
前記第一無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一無線装置から前記劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を有する無線通信方法。
【請求項５】
前記第１の制御ステップは、前記隣接干渉波検出ステップにて隣接チャンネル干渉波が検出されなくなると、隣接チャンネル干渉波による無線伝送品質劣化を回避した設定から、元の設定に戻すために、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を、無線伝送品質の劣化を回避した設定から元の設定に戻すように制御し、
前記第２の制御ステップは、無線対向する第一無線装置から前記隣接チャンネル干渉波が検出されなくなった通知を受け取った場合に、前記第２の無線周波数変更ステップ、前記第２の占有帯域変更ステップ、前記第２の変調方式変更ステップを用いて前記送信器の動作周波数、前記変調器の無線占有帯域、前記変調器の変調方式を、無線伝送品質の劣化を回避した設定から元の設定に戻ように制御する請求項４に記載の無線通信方法。
【請求項６】
前記隣接干渉波検出ステップは、無線回線帯域と前後の所定の帯域を受信する無線回線受信ステップ、隣接チャンネル波を含む受信信号から自無線信号を除去する無線信号除去ステップ、干渉波受信信号を受け無線回線帯域と前後の所定の帯域の周波数毎の干渉波受信レベルを検出する受信レベル検出ステップとを備えている請求項４又は５に記載の無線通信方法。
【請求項７】
対向する二つの無線装置の間をポイントツーポイントの無線通信を行う無線通信システムの無線装置であって、
前記無線装置は、無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように変調方式を各々個別に変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有する無線装置。
【請求項８】
対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置の無線通信方法であって、
自無線回線の受信信号の無線伝送品質が劣化したか否かを検出する検出ステップと、
受信信号の伝送品質が劣化した原因が、自無線装置が使用する無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を行う無線通信方法。
【請求項９】
対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置としてのコンピュータに、
自無線回線の受信信号の無線伝送品質が劣化したか否かを検出する検出ステップと、
受信信号の伝送品質が劣化した原因が、自無線装置が使用する無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を実行させる無線通信プログラム。
【発明の詳細な説明】
【技術分野】
【０００１】
本発明は、無線通信システム、無線装置、無線通信方法および無線通信プログラムに関し、特に無線装置を無線空間対向させる固定型ポイントツーポイントで無線通信を行う無線通信システム、無線装置、無線通信方法および無線通信プログラムに関する。
【背景技術】
【０００２】
現在、無線通信システムの分野においては、各種の無線通信方式が活発に検討されており、限られた無線周波数帯域の中で、種々の無線通信システムが次々に実用に供されている。この結果、いずれかの無線通信システムが、隣接チャンネルを利用する他の無線通信システムからの干渉波の影響を受けて、当該無線通信システムの無線伝送品質が劣化してしまう事態が多発するようになってきている。
【０００３】
特許文献１には、隣接波の影響を受け難い方向を判断し、受信アンテナの指向性コントロールを行い、隣接波の影響を最小限に抑えて無線信号を受信する無線通信装置の記載がある。
【０００４】
特許文献２には、他の無線通信システムとサブキャリアの一部を重複して利用し、送信無線局と受信無線局とが複数のサブキャリアを用いて信号伝送を行うマルチキャリア伝送方式を用いる無線通信システムにおいて、受信無線局が、受信無線局に割当られた周波数帯域を、被干渉量測定を行う周波数帯域毎に細分化し、細分化された周波数帯域幅毎に、受信信号の被干渉量を測定し、被干渉量に基づいて、利用可能なサブキャリアを決定することの記載がある。
【０００５】
特許文献３には、対向する第１の無線通信装置及び第２の無線通信装置において、無線回線品質が変化した場合、第２の無線通信装置の復調器は復調器制御回路に回線品質信号を出力し、復調器制御回路は回線品質信号に応じて変調方式を変更するように変調方式指示信号を、第１の無線通信装置の変調器制御回路に送信し、変調器制御回路は、変調方式指示信号により変調器の変調方式を制御し、同時に変調方式指示信号を変調器に出力し、伝送データに多重して第２の無線通信装置に伝送し、第２の無線通信装置の復調器制御回路は、復調器制御信号で復調器を制御することの記載がある。
【０００６】
特許文献４には、現用・予備構成の多値適用無線装置において、品質優先と容量優先の運用形態に応じた変調方式を適応的に切り替えることの記載がある。
【０００７】
特許文献５には、送信装置において、ＤＦＴ回路のポイント数ｍを変更することにより、送信信号のシンボル速度すなわち周波数帯域幅を変更すること、スイッチ回路によりＩＦＦＴ回路へ信号を入力する位置を変更することにより、送信周波数を変更することの記載があり、受信装置において、ＦＦＴ回路から信号を取り出す位置をスイッチ回路で変更することにより、受信周波数を変更すること、ＩＤＦＴ回路のポイント数ｍを変更することにより、受信信号のシンボル速度すなわち周波数帯域幅を変更することの記載がある。
【０００８】
特許文献６には、無線信号を受信し、受信周波数切替手段が受信する無線信号の周波数を設定された複数の周波数の中で切り替え、干渉状況検出手段が各周波数毎に受信される信号に関する干渉の状況を検出し、その干渉状況に基づいて通信機による無線通信に用いる周波数を切り替えることの記載がある。
【０００９】
特許文献７には、送信側にて隣接チャネル検出回路の出力と設定制御回路の出力を用いて周波数制御回路の発信周波数を設定する周波数設定回路を有し、受信側にて狭帯域のフィルタとフィルタ出力を検波する為の検波器を備える隣接チャネル検出回路を有し、隣接チャネル検出回路にて隣接チャネルの信号を検出し、検出結果により周波数設定回路において送信周波数帯域に選択制限を設けることにより、隣接チャネル間干渉を発生しないような送信信号が出力されることの記載がある。
【先行技術文献】
【特許文献】
【００１０】
【特許文献１】特開２０１０−２６３４７２号公報（第４−６頁）
【特許文献２】特開２００５−１６７５０２号公報
【特許文献３】特開２００５−２２３８３５号公報
【特許文献４】特開２００９−１７１２６３号公報
【特許文献５】特開２００９−１０５７２２号公報
【特許文献６】特開２００３−２７３７９９号公報
【特許文献７】特開平１１−１１２３７８号公報
【発明の概要】
【発明が解決しようとする課題】
【００１１】
本発明は、敷設後に生じた隣接チャンネル干渉波により伝送品質が定常的に劣化する状況になった時でも、新たな周波数申請や新たな装置への置き換えが不要で、装置の設定変更のみで、元の伝送容量で隣接チャンネル干渉の影響を受けない無線伝送品質を改善して復元することを目的とする。
【００１２】
また、本発明は、ＦＤＤポイントツーポイント無線システムにおいて、上り下り回線で独立に設定することができることで、隣接チャンネル干渉波による無線伝送品質の劣化を上り下りで独立に防止することができるようにすることを目的としている。
【課題を解決するための手段】
【００１３】
本発明に係る無線通信システムは、対向する二つの第一無線装置と第二無線装置の間をポイントツーポイントの無線通信を行う無線通信システムであって、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する前記無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように各々個別に変調方式を変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の前記第一又は第二無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有することを特徴とする無線通信システムである。
【００１４】
本発明に係る無線通信方法は、対向する二つの第一無線装置と第二無線装置の間をポイントツーポイントの無線通信を行い、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線通信システムの無線通信方法であって、
前記第一無線装置において、
無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップと、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する第１の変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二無線装置に、前記隣接チャンネル干渉波による前記受信信号の無線伝送品質の劣化通知を送信する送信ステップと、を行い、
前記第二無線装置において、
前記第一無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一無線装置から前記劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を有する無線通信方法である。
【００１５】
本発明に係る無線装置は、対向する二つの無線装置の間をポイントツーポイントの無線通信を行う無線通信システムの無線装置であって、
前記無線装置は、無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する前記無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように変調方式を各々個別に変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有する無線装置である。
【００１６】
本発明に係る無線通信方法は、対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置の無線通信方法であって、
自無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を行う無線通信方法である。
【００１７】
本発明に係る無線通信プログラムは、対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置としてのコンピュータに、
自無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を実行させる無線通信プログラムである。
【発明の効果】
【００１８】
本発明によれば、隣接チャンネル干渉波により、受信信号品質が劣化する状況になった場合であっても、無線回線の設置変更や新たな無線通信システムへの置き換えを行う必要がなく、無線装置内の設定変更を行うだけで、元の伝送容量のまま隣接チャンネル干渉波による受信信号品質の劣化状態を回避させ、受信信号品質を良好な状態で通信を復元させることができる。
また、本発明によれば、上記動作を上り下りの無線回線で個別に行うため、一方向の隣接チャンネルの干渉波により受信信号品質が劣化した回線のシステム変更を実施にあたり、逆方向の受信信号品質の劣化していない回線は切断することがない。
【図面の簡単な説明】
【００１９】
【図１】本発明による無線通信システムの装置構成の一例を示す装置構成図である。
【図２】図１に示す無線通信システムを構成する無線装置内の隣接干渉波検出部の内部構成の一例を示すブロック構成図である。
【図３】図１に示す無線通信システムを構成する無線装置内の無線信号制御部の内部構成の一例を示すブロック構成図である。
【図４】図１に示した無線通信システムを構成する無線装置内の無線信号制御部において隣接チャンネルからの干渉が発生していることを判断する無線通信方法および無線通信プログラムの動作の一例を説明するためのフローチャートである。
【図５】図１に示した無線通信システムを構成する無線装置内の無線信号制御部において無線伝送品質の劣化した回線の設定を変更する無線通信方法および無線通信プログラムの動作の一例を説明するためのフローチャートである。
【図６】図１に示した無線通信システムを構成する無線装置内の無線信号制御部において隣接チャンネルの干渉があらかじめ定めた干渉閾値よりも低下したことを判断する際の無線通信方法および無線通信プログラムの動作の一例を説明するためのフローチャートである。
【図７Ａ】図１に示した無線通信システムを構成する無線装置内の無線信号制御部において隣接チャンネルの干渉が解消され元の設定へ復帰させる無線通信方法および無線通信プログラムの動作の一例を説明するためのフローチャートの前半部分を示す図である。
【図７Ｂ】図１に示した無線通信システムを構成する無線装置内の無線信号制御部において隣接チャンネルの干渉が解消され元の設定へ復帰させる無線通信方法および無線通信プログラムの動作の一例を説明するためのフローチャートの後半部分を示す図である。
【図８】図１〜図７Ｂに示した無線通信システム、無線通信方法および無線通信プログラムの動作の一例を説明するための説明図である。
【発明を実施するための形態】
【００２０】
以下、本発明の実施形態について図面を用いて詳細に説明する。
［構成の説明］
図１は本発明の一実施形態の無線通信システムを示す構成図である。図２は図１の無線通信システムを構成する無線装置内の隣接干渉波検出部の内部構成の一例を示すブロック図である。図３は図１の無線通信システムを構成する無線装置内の無線信号制御部の内部構成の一例を示すブロック図である。本実施形態の無線通信システムは、空間対向する二つの第一無線装置10と第二無線装置20との間をＦＤＤポイントツーポイントで無線通信する無線通信システムである。
【００２１】
図１を参照して、無線対向する無線装置10、20の構成を説明する。
第一無線装置10は、インタフェース部101、送信器102、受信器103、変調器104、復調器105、隣接干渉波検出部106、無線信号制御部107、無線信号分配器108、アンテナ部109で構成される。また、無線装置20は、インタフェース部201、送信器202、受信器203、変調器204、復調器205、隣接干渉波検出部206、無線信号制御部207、無線信号分配器208、アンテナ部209で構成される。
【００２２】
第一無線装置10と第二無線装置20は、アンテナ部109とアンテナ部209で無線対向することで無線伝送が可能となる構成である。
図２に示すように、隣接干渉波検出部106は、自無線回線受信器301、自無線信号除去フィルタ302、受信レベル検出器303により構成される。受信レベル検出器303は例えばスペクトラムアナライザである。また、隣接干渉波検出部206も隣接干渉波検出部106と同一構成である。
図３に示すように、無線信号制御部107は、回線品質監視部401、対向局間同期判定部402、判断部403、設定部404、信号制御部405、送信周波数制御部406、受信周波数制御部407、送信占有帯域制御部408、受信占有帯域制御部409、送信変調方式制御部410、受信変調方式制御部411により構成される。また、無線信号制御部207も無線信号制御部107と同一構成である。
【００２３】
第一無線装置10、第二無線装置20は上り下りの運用構成を個別に設定するため機器を分割している。第一無線装置10は、送信器102と変調器104からなる無線送信系と、受信器103と復調器105からなる無線受信系とを備えている。第二無線装置20は、送信器202と変調器204からなる無線送信系と、受信器203と復調器205からなる無線受信系とを備えている。
無線信号分配器108、208は、アンテナ部109、209から無線受信信号aを受け、受信器105と隣接干渉波検出部106、受信器205と隣接干渉波検出部206へ無線受信信号aを分配する。
受信器103、203は、無線受信信号aを受け、復調器105、205へ受信信号bを、無線信号制御部107、207へ無線受信信号受信レベルkを送る。
【００２４】
復調器105、205は、受信信号bを受け、インタフェース部110、210へ復調信号cを送り、無線信号制御部107、207へ受信情報jを送る。
インタフェース部110、210は、復調器105、205から復調信号cを受け、外部へ受信データdを送り、外部から送信データeを受け、変調器104、204へ伝送データfを送る。
変調器104、204は、伝送データfを受け、送信器102、202へ変調信号gを送る。
送信器102、202は、変調信号gを受け、アンテナ部109、209へ無線送信信号hを送る。
【００２５】
隣接干渉波検出部106、206は、無線受信信号aを受け、無線信号制御部107、207へ干渉波受信レベルqを送る。
無線信号制御部107、207は、受信情報j、無線受信信号受信レベルk、干渉波受信レベルqを受け、送信器102と受信機103、送信器202と受信器103へ周波数設定信号mを送り、変調器104と復調器105、変調器204と復調器205へ占有帯域設定信号nと変調方式設定信号pとを送る。
【００２６】
図２を参照して隣接干渉波検出部106、206の構成と動作を説明する。図２においては隣接干渉波検出部106の構成と動作を示しているが、隣接干渉波検出部206も隣接干渉波検出部106と同一の構成であり、同一の動作を行う。
隣接干渉波検出部106、206はともに、自無線回線受信器301、自無線信号除去フィルタ302、受信レベル検出器303で構成されている。隣接干渉波検出部106、206は、無線信号分波器108、208からの無線受信信号ａが入力され、無線信号制御部107、207へ向けて干渉波受信レベルqを出力する。
自無線回線受信器301は、無線受信信号ａに対して自無線回線の通過帯域を含むバンドパスフィルタにより自無線回線帯域と前後＋αの帯域を受信する受信器で、無線受信信号aと隣接チャンネル波を含む受信信号rを自無線信号除去フィルタ302へ送る。自無線回線帯域と前後＋αの帯域が、干渉波検出する周波数帯域幅になる。
【００２７】
自無線信号除去フィルタ302は、隣接チャンネル波を含む受信信号rから、自無線信号を除去し、干渉波受信信号sを受信レベル検出器303へ送る。
受信レベル検出器303は、干渉波受信信号sを受け自無線回線帯域＋αの帯域の周波数毎の干渉波受信レベルqを検出し無線信号制御部107、207へ送る。
【００２８】
図３を参照して無線信号制御部107、207の構成を説明する。図３においては無線信号制御部107の構成を示しているが、無線信号制御部207も隣接干渉波検出部106と同一構成である。
無線信号制御部107、207はともに、回線品質監視部401、対向局間同期判定部402、判断部403、設定部404、信号制御部405、送信周波数制御部406、受信周波数制御部407、送信占有帯域制御部408、受信占有帯域制御部409、送信変調方式制御部410、および受信変調方式制御部411で構成されている。
自無線回線の信号を復調する復調器105、205は、干渉波による誤りが残存するが、対向無線装置との設定情報は冗長伝送による多数決判定、誤り判定等を伴うことで確実な設定情報（回線品質情報A、対向局設定変更要求信号D）を抽出する。
【００２９】
回線品質監視部401は、復調器105、205からの回線品質信号Aを受け、判断部403へ受信データbの劣化状況である回線劣化信号Bを送る。
対向局間同期判定部402は、復調器105、205からの対向局変更要求信号Dを受け、応答信号Eを判断部403へ送る。
判断部403は回線品質監視部401からの回線劣化信号B、受信器103、203からの無線受信信号受信レベルk、隣接干渉波検出部106、206から干渉波受信レベルqを受け、設定部404で設定した閾値の設定情報Fより回線の劣化状況および回線品質の劣化しない無線帯域の検出、設定変更の実行可否を判断し、設定変更実施時は無線制御信号Gを信号制御部405へ送る。
【００３０】
設定部404は劣化状況の判断基準となる設定情報Fを判断部403へ送る。
信号制御部405は無線制御信号Gを受け、送信周波数制御部406、受信周波数制御部407へ周波数信号Hを、送信占有帯域制御部408、受信占有帯域制御部409へ占有帯域信号Mを、送信変調方式制御部410、受信変調方式制御部411へ変調方式信号Nを送る。
送信周波数制御部406は周波数信号Hを受け、送信器102、202へ周波数設定信号mを、受信周波数制御部407は周波数信号Hを受け、受信器103、203へ周波数設定信号mを送る。
【００３１】
送信占有帯域制御部408は占有帯域信号Mを受け、変調器104、204へ占有帯域設定信号nを、受信占有帯域制御部409は占有帯域信号Mを受け、復調器105、205へ占有帯域設定信号nを送る。
送信変調方式制御部410は変調方式信号Nを受け、変調器104、204へ変調方式設定信号pを、受信変調方式制御部411は変調方式信号Nを受け、復調器105、205へ変調方式設定信号pを送る。
【００３２】
［動作の説明］
図１〜図８を参照して本発明の無線通信システム、無線通信方法及び無線通信プログラムの一実施形態の概略動作を説明する。
本実施形態の無線通信方法は、空間対向する二つの第一無線装置10と第二無線装置20との間をポイントツーポイントの無線通信を行うＦＤＤ無線通信システムによる無線通信方法であって、隣接チャンネル干渉波の影響を受けていないときは、第一無線装置10と第二無線装置20との間における無線通信データの送信動作、受信動作をそれぞれ無線周波数f0（第一無線装置10から第二無線装置20への無線通信）、無線周波数f0'（第二無線装置20から第一無線装置10への無線通信）を用いて行う。
【００３３】
また、隣接チャンネル干渉波により受信信号品質に劣化が発生した時は、第一無線装置10と第二無線装置20間における無線通信データの送信動作、受信動作をそれぞれ無線周波数f1（第一無線装置10から第二無線装置20への無線通信）、無線周波数f1'（第二無線装置20から第一無線装置10への無線通信）を用いて行う。
無線周波数f0と無線周波数f0'はＦＤＤシステムのＧｏ（上り回線）／Ｒｅｔｕｒｎ（下り回線）の無線周波数に該当する。無線周波数f1と無線周波数f1'も同様にＦＤＤシステムのＧｏ（上り回線）／Ｒｅｔｕｒｎ（下り回線）の無線周波数に該当する。
【００３４】
本実施形態の無線通信方法が適用される第一無線装置10は、インタフェース部101、送信器102、受信器103、変調器104、復調器105、隣接干渉波検出部106、無線信号制御部107、無線信号分配器108、アンテナ部109からなり、また第二無線装置20は、インタフェース部201、送信器202、受信器203、変調器204、復調器205、隣接干渉波検出部206、無線信号制御部207、無線信号分配器208、アンテナ部209からなる。
【００３５】
本実施形態の無線通信方法は、無線送信系と無線受信系を個別に設定可能な無線通信方法において、
前記第一無線装置10および第二無線装置20それぞれは、
隣接チャンネル干渉が干渉波レベル閾値以上であることで隣接干渉が生じていると判断する動作と、
隣接チャンネル干渉による回線品質劣化を回避するための、隣接干渉波の影響を受けていない無線周波数帯域を検出する動作と、
隣接干渉波の影響が無い無線周波数帯を使用して新たな無線回線の設定を変更する動作と、
隣接チャンネル干渉が低下したことを判断する動作と、
設定変更前の状態へ戻す動作を有する。
【００３６】
［隣接チャンネル干渉が生じていると判断する動作］
第一無線装置10内の無線信号制御部107において、隣接チャンネルからの干渉が発生していることを判断する動作の一例について図４のフローチャートを参照しながら詳細に説明する。図４のフローチャートの説明において、第一無線装置10内の無線信号制御部107について説明するが、無線対向する第二無線装置20内の無線信号制御部207についても第一無線装置10と第二無線装置20を入れ替えるだけで全く同じ動作を行う。
【００３７】
図４のフローチャートにより、隣接チャンネル干渉が生じていると判断する動作を説明する。
（ステップS1）
ステップS1において、第一無線装置10内の無線信号制御部107は第一無線装置10内の復調器105から出力される受信情報jに含まれている復調器105における回線信号のエラー率情報である回線品質信号Aを、回線品質監視部401において回線品質の劣化の有無を監視し、回線品質の劣化があるかどうかを判断する。ステップS1の回線品質劣化判定は、復調器105の復調後のデータにある一定以上(たとえば、10-6以上のエラーレート)のエラーが残留しているか否かで判定する。回線品質の劣化がない場合もしくは前記一定以下のエラーレートの場合（ステップS1のNo）、現在の設定（無線周波数、無線占有帯域、変調方式）を維持する（ステップS7）。回線品質が劣化していると認識した場合（ステップS1のYes）、回線劣化信号Bとして判断部403へ伝達する。
【００３８】
（ステップS2）
ステップS2において、ステップS1で監視した結果の回線劣化信号Bを回線品質監視部401から受け取った判断部403は、第一無線装置10内の受信器103から出力されてくる無線受信信号受信レベルkが、自無線回線の現在の設定（無線周波数、無線占有帯域、変調方式）の品質が劣化なく維持できる受信閾値以上か否かを判定する。
【００３９】
（ステップS3）
ステップS2で、降雨やフェーディング等の影響により無線受信信号受信レベルkが受信閾値よりも低下していると判定した場合（ステップS2のNo）、ステップS3で、回線劣化信号Bが示す回線品質の劣化の原因は隣接チャンネル干渉による劣化では無く、降雨等による受信レベル低下が原因と判定する。
【００４０】
（ステップS4）
ステップS2で、無線受信信号受信レベルkが受信閾値以上に達していると判定した場合（ステップS2のYes）、ステップS4で、隣接干渉波検出部106から出力される干渉波受信レベルq（図２の例では、情報系列A97400000047）が図２のように干渉波受信レベルが残留し、干渉波閾値以上（図４ではたとえば2以上）か否か検出する。
ステップS4で、隣接チャンネルの干渉波受信レベルqが干渉波閾値よりも低いことが検出された場合（ステップS4のNo）、回線劣化信号Bが示す回線品質劣化の原因は、隣隣接チャンネル干渉による劣化では無く、降雨等の伝搬路変動による受信レベル低下が原因と判定する（ステップS3）。
【００４１】
（ステップS5）
ステップS4で、隣接チャンネル干渉波受信レベルq（図４の例では、情報系列A97400000047）が干渉閾値以上（図４ではたとえば2以上）であった場合（ステップS4のYes）、ステップS5で、隣接チャンネル干渉による品質劣化が発生しているものと判定する。
【００４２】
（ステップS6）
隣接チャンネル干渉波の影響による回線品質の劣化を解消させるため、干渉波受信レベルqから受信信号bの回線品質が劣化しない無線周波数帯域（図２のBB）を、図２の干渉波受信レベルqにより検出し、無線周波数、無線占有帯域、変調方式の設定変更動作を起動する。
【００４３】
［隣接チャンネル干渉による回線品質劣化を回避するための設定変更動作］
図５のフローチャートにより、隣接チャンネル干渉による回線品質劣化を回避するための、対向する無線装置間で連携して設定変更する動作を説明する。
第一無線装置10内の無線信号制御部107において、隣接チャンネル干渉波による回線品質劣化を回避するための設定変更動作の一例について図５のフローチャートを参照しながら詳細に説明する。図５のフローチャートの説明において、第一無線装置10内の無線信号制御部107が回線品質の劣化を検出した場合について説明するが、無線対向する第二無線装置20内の無線信号制御部207が回線品質の劣化を検出した場合についても第一無線装置10と第二無線装置20を入れ替えるだけで全く同じ動作である。
【００４４】
（ステップS11）
図５のフローチャートに示すように、隣接チャンネルからの干渉波の影響を解消させるために、無線周波数、占有帯域、変調方式の設定を変更する動作を開始するのに先立って、まず無線対向する相手側の第二無線装置20との設定変更シーケンスの同期取りを行うために、ステップS11において、第一無線装置10内の無線信号制御部107の判断部403において、相手側の第二無線装置20に対して同じ設定（無線周波数、占有帯域、変調方式）に変更を要求する対向局設定変更要求信号Dを、変調方式設定信号pに含めて変調器104へ送り、変調器104において伝送データfと多重化して、無線対向する相手側の第二無線装置20に対して送信する。
【００４５】
（ステップS12及びステップS13）
無線対向する相手側の第二無線装置20は、第一無線装置10からの変調方式設定信号pに含まれた対向局設定変更要求信号Dを受け取ると（ステップS12）、復調器205にて変調方式設定信号pに含まれた対向局設定変更要求信号Dを分離して、第二無線装置20内の無線信号制御部207の対向局間同期判定部402へ出力する。対向局間同期判定部402は、相手側の第一無線装置10において無線周波数、占有帯域、変調方式の設定を変更しようとしているので、当該第二無線装置20も同期を取って、同様の設定変更動作を行う必要があることを認識し、設定変更を行うための応答信号Eを生成して、無線信号制御部207の判断部403に出力するとともに、要求を受け付けた旨をＡＣＫ（Acknowledge）信号として、対向局設定変更要求信号Dを含む変調方式設定信号pを相手側の第一無線装置10に返送する（ステップS13）。
【００４６】
（ステップS14）
第一無線装置10の無線信号制御部107において、無線対向する相手側の第二無線装置20からＡＣＫ信号として返送されてきた対向局設定変更要求信号Dを含む変調方式設定信号pを検知すると、第一無線装置10と同様に、復調器205にて変調方式設定信号pに含まれた対向局設定変更要求信号Dを分離して、無線信号制御部207の対向局間同期判定部402へ出力し、対向局間同期判定部402にて応答信号Eを生成して、判断部403に出力する（ステップS14）。
【００４７】
（ステップS15及びステップS16）
無線対向する相手側の第二無線装置20内の無線信号制御部207の判断部403は、無線制御信号Gを信号制御部405に出力して、送信側の無線周波数、占有帯域、変調方式の設定変更を指示する（ステップS15）。
第一無線装置10において、応答信号Eを受け取った判断部403は、無線制御信号Gを第一無線装置10内の無線信号制御部107の信号制御部405に出力して、受信側の無線周波数、占有帯域、変調方式の設定変更を指示する（ステップS16）。
【００４８】
（ステップS17及びステップS18）
第二無線装置20内の無線信号制御部207から、信号制御部405および送信周波数制御部406を介して、無線周波数変更の指示となる周波数設定信号mを受け取った第二無線装置20内の送信器202は、無線周波数をステップS6で検出した隣接チャンネル干渉波の影響を受けない無線周波数帯域の中心周波数となる無線周波数f1'に設定を変更する（ステップS17）。
同様に、第一無線装置10内の無線信号制御部107から、信号制御部405および受信周波数制御部407を介して、無線周波数変更の指示となる周波数設定信号mを受け取った第一無線装置10内の受信器103は、無線周波数をステップS6で検出した隣接チャンネル干渉波の影響を受けない無線周波数帯域内の中心周波数となる無線周波数f1'に設定を変更する（ステップS18）。
【００４９】
（ステップS19及びステップS20）
第二無線装置20内の無線信号制御部207から、信号制御部405および送信占有帯域制御部408を介して、占有帯域変更の指示となる占有帯域設定信号nを受け取った第二無線装置20内の変調器204は、占有周波数帯域をステップS6で検出した隣接チャンネル干渉波の影響を受けない占有周波数帯域に変更する（ステップS19）。
同様に、第一無線装置10内の無線信号制御部107から、信号制御部405および受信占有帯域制御部409を介して、占有帯域変更の指示となる占有帯域設定信号nを受け取った第一無線装置10内の復調器105は、占有周波数帯域をステップS6で検出した隣接チャンネル干渉波の影響を受けない占有周波数帯域に変更する（ステップS20）。
【００５０】
（ステップS21及びステップS22）
第二無線装置20内の無線信号制御部207から、信号制御部405および送信変調方式制御部410を介して、変調方式変更の指示となる変調方式設定信号pを受け取った第二無線装置20内の変調器204は、変調方式２ＮのＮを占有周波数帯域の設定変更前後で伝送容量が変わらない値に変更する（ステップS21）。
同様に、第一無線装置10内の無線信号制御部107から、信号制御部405および受信変調方式制御部411を介して、変調方式変更の指示となる変調方式設定信号pを受け取った第一無線装置10内の復調器105は、変調方式２ＮのＮを占有周波数帯域の設定変更前後で伝送容量が変わらない値に変更する（ステップS22）。
【００５１】
（ステップS23−ステップS26）
しかる後、第二無線装置20内の無線信号制御部207の判断部403は、自第二無線装置20および相手側の第一無線装置10の双方ともに、無線周波数、占有帯域、変調方式の設定変更が完了したか否かを確認し（ステップS23）、設定変更が完了したことを確認した場合（ステップS23のＹｅｓ）、無線送信系として隣接チャンネル干渉波の影響を受けない設定への変更動作を完了する（ステップS25）。
同様に、第一無線装置10内の無線信号制御部107の判断部403は、自第一無線装置10および相手側の第二無線装置20の双方ともに、無線周波数、占有帯域、変調方式の設定変更が完了したか否かを確認し（ステップS24）、設定変更が完了したことを確認した場合（ステップS24のＹｅｓ）、無線受信系として隣接チャンネル干渉波の影響を受けない設定への変更動作を完了する（ステップS26）。
【００５２】
（ステップS27及びステップS28）
一方、第二無線装置20内の無線信号制御部207の判断部403は、自第二無線装置20および相手側の第一無線装置10の双方またはいずれか一方において、設定変更が完了したことを認識できなかった場合（ステップS23のＮｏ）、隣接チャンネル干渉波の影響を受けない設定への変更動作が失敗した場合であり、設定変更前の状態に一旦復帰させた後（ステップS27）、ステップS12に復帰し、相手側の第一無線装置10からの再度の設定変更要求を待ち合わせる状態に戻る。
同様に、第一無線装置10内の無線信号制御部107の判断部403は、自第一無線装置10および相手側の第二無線装置20の双方またはいずれか一方において、設定変更が完了したことを認識できなかった場合（ステップS24のＮｏ）、隣接チャンネル干渉波の影響を受けない設定への変更動作が失敗した場合であり、設定変更前の状態に一旦復帰させた後（ステップS28）、図４に示したステップS1に復帰して、再度回線品質の劣化を検出する動作からやり直す。
【００５３】
より広い占有帯域の無線周波数を用いた方が、降雨やフェーディング等の伝搬路変動が生じても回線品質信号のエラーを発生させない伝搬路変動耐力が高いため、隣接チャンネル干渉状態が解消し回線品質が正常な状態に復帰したことを検知した場合、頻発な設定変更／復帰動作の繰り返しを防止するため、隣接チャンネル干渉状態の解消を検知してからあらかじめ定めた復帰監視時間T1が経過するまで、隣接チャンネル干渉状態が解消している状態が継続しているか否かを監視することにし、該復帰監視時間T1を経過するまで解消状態が継続していた場合には、隣接チャンネル干渉状態が確かに解消したものと判断して、無線周波数、占有帯域、変調方式の設定を復帰させる動作を行うことが望ましい。
【００５４】
［隣接チャンネル干渉が低下したことを判断する動作］
第一無線装置10内の無線信号制御部107において、隣接チャンネル干渉波の影響を受けない設定（無線周波数、占有帯域、変調方式）時に隣接チャンネル干渉があらかじめ定めた干渉閾値よりも低下したことを判断する際の動作の一例について、図６のフローチャートを参照しながら詳細に説明する。
第一無線装置10内の無線信号制御部107が隣接チャンネルの干渉の低下を検出した場合について説明するが、対向する第二無線装置20内の無線信号制御部207は隣接チャンネルの干渉の低下を検出した場合についても、第一無線装置10と第二無線装置20とを入れ替えるだけで全く同様の動作を行う。
図６のフローチャートの説明においては、第一無線装置10および無線対向する第二無線装置20は、帯域BBを無線占有帯域とする設定（無線周波数、占有帯域、変調方式）で運用されている状態からスタートする。
【００５５】
（ステップS31）
ステップS31で、第一無線装置10内の無線信号制御部107は、第一無線装置10内の復調器105から出力される受信情報jに含まれている復調器105における回線信号のエラー率情報である回線品質信号Aを、回線品質監視部401において回線品質の劣化の有無を監視する。
回線品質が劣化していると認識した場合（ステップS31のYes）、ステップS38により状態を維持する。
一方、回線品質の劣化がない場合（ステップS31のNo）、回線品質の劣化が解消したことを示す回線劣化信号Bを生成して、判断部403に出力する。
【００５６】
（ステップS32）
回線品質の劣化が解消したことを示す回線劣化信号Bを受け取った判断部403は、第一無線装置10内の受信器103から出力されてくる無線受信信号受信レベルkが、受信無線信号のエラーを生じるような異常な受信レベルにあるか否かを、あらかじめ定めた受信閾値と比較することにより確認する。
【００５７】
（ステップS33）
降雨やフェーディング等の影響を受けて無線受信信号受信レベルkがあらかじめ定めた前記受信閾値よりも低下していた場合には（ステップS32のNo）、回線劣化信号Bが示す回線品質の回復の原因は、降雨等の伝搬路変動によるもので、隣接チャンネル干渉の解消によるものではないと判断し（ステップS33）、第一無線装置10および無線対向する第二無線装置20は、帯域BBを無線占有帯域とする設定（無線周波数、占有帯域、変調方式）で運用されている状態を継続する。
【００５８】
（ステップS34）
無線受信信号受信レベルkが前記受信閾値以上に達していて、異常な受信レベルではなかった場合には（ステップS32のYes）、次に隣接干渉波検出部106から出力されてくる干渉波受信レベルqが、あらかじめ定めた干渉閾値よりも低下したか否か（図６ではたとえば、干渉閾値が＜１かどうか）を確認する（ステップS34）。隣接チャネル干渉が生じる前の元の装置設定に復帰させるため、監視する周波数帯域は、前記自無線回線帯域と前後＋αの帯域が、干渉波有無を検出する周波数帯域幅になる。
【００５９】
（ステップS35）
隣接干渉波検出部106は、常時監視周波数帯において隣接チャンネルからの干渉の検出動作を継続しており、自無線回線信号を除去した隣接チャンネル干渉波受信レベルｑがあらかじめ定めた干渉閾値よりも低下（図６ではたとえば干渉閾値が＜１）した場合に（ステップS34のYes）、隣接チャネル干渉による品質劣化の解消と判定し（ステップS35）、隣接チャンネルの干渉波が発生していないことを示す干渉波受信レベルq（図６の例では、情報系列111100000011)を生成して出力する動作を行う。
【００６０】
（ステップS36）
隣接チャンネル干渉による品質劣化が解消したと判定すると、無線信号制御部107の判断部403は、あらかじめ定めた一定の復帰監視時間T1を経過しても、隣接チャンネル干渉波による品質劣化の解消状態が継続しているかを確認するという条件を付けて、無線周波数、無線占有帯域、変調方式を元の設定に戻す変更動作を起動する（ステップS36）。
【００６１】
（ステップS37）
干渉波受信レベルqが前記干渉閾値よりも低下していない場合（ステップS34のNo）、まだ隣接チャンネル干渉の影響が発生する可能性が残っているものと判断して、元の設定への復帰動作は中止して隣接チャンネル干渉波の影響を受けない設定（回線品質劣化を回避した設定）をそのまま継続する（ステップS37）。つまり、第一無線装置10および無線対向する第二無線装置20は、帯域BBを無線占有帯域とする設定（無線周波数、占有帯域、変調方式）で運用されている状態を継続する。
【００６２】
（ステップS38）
回線品質が劣化していると認識した場合（ステップS31のYes）、第一無線装置10および無線対向する第二無線装置20は、帯域BBを無線占有帯域とする設定（無線周波数、占有帯域、変調方式）で運用されている状態を継続する（ステップS38）。
この図６のフローにおける判定シーケンスは、隣接チャンネル干渉波の影響を受けない設定で無線装置運用中において継続して判定される。
【００６３】
［設定変更前の元の状態へ戻す動作］
図７Aおよび図７Bのフローチャートにより、対向する無線装置間で連携して設定変更前の元の状態へ戻す動作を説明する。
第一無線装置10内の無線信号制御部107において、無線周波数、無線占有帯域、変調方式の設定を元の設定へ復帰させる変更動作の一例について、図７A及び図７Bのフローチャートを参照しながら詳細に説明する。
【００６４】
図７Aは、図１に示した無線通信システムを構成する第一無線装置10内の無線信号制御部107において無線周波数、無線占有帯域、変調方式を元の設定へ復帰させる変更動作の一例を説明するためのフローチャートの前半部分であり、図７Bはそのフローチャートの後半部分である。
図７Aの下部に○で囲んで記載したA、B及びCの記号（囲み文字）は、図７Bの上部に○で囲んで記載したA、B及びCの記号（囲み文字）にそれぞれ繋がっているものとする。即ち、図７A及び図７Bを両図における囲み文字で結合した図が、１つのフローチャートを表している。このように、図７A及び図７Bを両図における囲み文字でもって結合した１つの図が１つのフローチャートを表しているので、以下では結合された図７A及び図７Bを図７と総称することとする。
【００６５】
なお、図７のフローチャートの説明において、第一無線装置10内の無線信号制御部107が回線品質の劣化の解消を検出した場合について説明するが、無線対向する第二無線装置20内の無線信号制御部207が回線品質の劣化の解消を検出した場合についても、第一無線装置10と第二無線装置20とを入れ替えるだけで全く同様の動作を行う。
【００６６】
隣接干渉波検出部106は、隣接チャンネル干渉波の影響を受けない設定時においても、隣接チャンネルからの干渉の有無を継続して監視しており、隣接チャンネル干渉波の受信レベルが、受信レベル検出器にてあらかじめ設定した干渉閾値よりも低下した場合に、隣接チャンネルの干渉波が発生していないことを示す干渉波受信レベルqを判断部403に出力してくる。
干渉波受信レベルqを受け取った無線信号制御部107の判断部403は、隣接チャンネル干渉による回線品質劣化が解消したものと判定し、干渉波受信レベルqの受信後、無線回線毎にあらかじめ定めた復帰監視時間T1が経過するまで、隣接チャンネル干渉による回線品質劣化が解消している状態が継続しているか否かを監視し、復帰監視時間T1が経過するまで解消状態が継続していた場合に、隣接チャンネル干渉状態が確かに解消したものと判断して、無線周波数、占有帯域、変調方式を元の設定に戻す動作を実行する。ここで復帰監視時間T1は、無線回線毎にあらかじめ設定する時間であり、設定部404にあらかじめ登録して保存されている。
図７のフローチャートに示すように、無線周波数、占有帯域、変調方式を元の設定に戻す動作は、図５に示した隣接チャンネル干渉波の影響を受けない設定へ変更する場合とは逆の動作になる。
【００６７】
（ステップS41）
第一無線装置10内の無線信号制御部107の判断部403は、隣接干渉波検出部106から出力される干渉波受信レベルqにより、隣接チャンネルの干渉波レベルが低下したことを確認すると、あらかじめ定めた復帰監視時間T1の計数を開始する（ステップS41）。
【００６８】
（ステップS42）
復帰監視時間T1が経過するまでの間に、隣接チャンネルの干渉波受信レベルqがあらかじめ定めた干渉閾値以上になる状態が発生したかどうかを監視し、復帰監視時間T1が経過しない間に隣接チャンネルの干渉波受信レベルqがあらかじめ定めた干渉閾値以上になる状態が発生した場合は（ステップS42のYes）、ステップS43に進む。復帰監視時間T1が経過するまでの間に干渉閾値以上になる状態が発生しない場合、すなわち、復帰監視時間T1が経過するまで隣接チャンネルの干渉波受信レベルqが干渉閾値よりも低下した状態が継続していた場合は（ステップS42のNo）、ステップS44に進む。
【００６９】
（ステップS43）
ステップS43では、干渉波受信レベルqがあらかじめ定めた干渉閾値以上になる状態が発生した後に、干渉波受信レベルqがあらかじめ定めた前記干渉閾値よりも低い状態が継続しているかどうかを監視し（ステップS43）、継続していない場合、すなわち干渉波受信レベルqが干渉閾値以上になる状態が継続している場合（ステップS43のNo）、無線周波数、占有帯域、変調方式を元の設定に戻す変更動作を実行することなく、再度隣接チャンネル干渉による回線品質劣化状態が解消したことを確認するまで、隣接チャンネル干渉波の影響を受けない設定をそのまま維持する。一方、干渉波受信レベルqがあらかじめ定めた前記干渉閾値よりも低い状態が継続している場合（ステップS43のYes）、復帰監視時間T1の計数開始（ステップS41）に戻る。
復帰監視時間T1が経過するまで隣接チャンネルの干渉波受信レベルqが干渉波受信レベルqがあらかじめ定めた干渉閾値以上になる状態が発生せず、干渉閾値よりも低下した状態が継続していた場合（ステップS42のNo）、ステップS44に移行し無線周波数、占有帯域、変調方式を元の設定に戻す変更動作を開始する。
【００７０】
（ステップS44）
無線周波数、占有帯域、変調方式を隣接チャンネル干渉波の影響を受けない設定から元の設定へ戻す動作を開始するのに先立って、まず無線対向する相手側の第二無線装置20との設定変更シーケンスの同期取りを行うために、第一無線装置10内の無線信号制御部107の判断部403において、相手側の第二無線装置20に対して設定を戻す要求をする対向局設定変更要求信号Dを変調方式制御信号pに含めて、変調器104にて伝送データfと多重化して、対向する相手側の第二無線装置20に対して送信する（ステップS44）。
【００７１】
（ステップS45及びステップS46）
無線対向する相手側の第二無線装置20は、第一無線装置10からの変調方式制御信号pに含まれた対向局設定変更要求信号Dを受け取ると（ステップS45）、復調器205において変調方式制御信号pに含まれた対向局設定変更要求信号Dを分離して、第二無線装置20内の無線信号制御部207の対向局間同期判定部402へ出力する。対向局間同期判定部402は、相手側の第一無線装置10において無線周波数、占有帯域、変調方式を元の設定へ戻そうとしているので、当該第二無線装置20も同期を取って同様の設定復帰動作を行う必要があることを認識し、設定復帰を行うための応答信号Eを生成して、無線信号制御部207の判断部403に出力するとともに、要求を受け付けた旨をACK信号として、対向局設定変更要求信号Dを含む変調方式制御信号pを相手側の第一無線装置10に返送する（ステップS46）。
【００７２】
（ステップS47）
対向する相手側の第二無線装置20に対して対向局設定変更要求信号Dを含む変調方式制御信号pを送信した第一無線装置10側の判断部403においても、対向する相手側の第二無線装置20側からACK信号として返送されてきた対向局設定変更要求信号Dを含む変調方式制御信号pを検知すると、対向局間同期判定部402にて応答信号Eを生成して、判断部403に出力する（ステップS47）。
【００７３】
（ステップS48及びステップS49）
応答信号Eを受け取った、第二無線装置20内の無線信号制御部207の判断部403は、無線制御信号Gを信号制御部405に出力して、送信側の無線周波数、占有帯域、変調方式を元の設定に戻すために、送信の無線周波数変更、占有帯域変更、変調方式変更を行うことを指示する（ステップS48）。
応答信号Eを受け取った、第一無線装置20内の無線信号制御部107の判断部403は、無線制御信号Gを第一無線装置10内の信号制御部405に出力して、受信側の無線周波数、占有帯域、変調方式を元の設定に戻すために、受信の無線周波数変更、占有帯域変更、変調方式変更を行うことを指示する（ステップS49）。
【００７４】
（ステップS50及びステップS51）
第二無線装置20内の無線信号制御部207から、信号制御部405および送信周波数制御部406を介して、無線周波数変更の指示となる周波数設定信号mを受け取った第二無線装置20内の送信器202の動作周波数を、隣接チャンネル干渉波の影響を受けない無線周波数f1'から元の無線周波数f0'に戻す（ステップS50）。
同様に第一無線装置10内の無線信号制御部107から、信号制御部405および受信周波数制御部407を介して、無線周波数変更の指示となる周波数設定信号mを受け取った第一無線装置10内の受信器103の動作周波数を、隣接チャンネル干渉波の影響を受けない無線周波数f1'から元の無線周波数f0'に戻す（ステップS51）。
【００７５】
（ステップS52及びステップS53）
第二無線装置20内の無線信号制御部207から、信号制御部405および送信占有帯域制御部408を介して、占有帯域変更の指示となる占有帯域設定信号nを受け取った第二無線装置20内の変調器204にて、占有周波数帯域を隣接チャンネル干渉波の影響を受けない設定から元の設定に戻す（ステップS52）。
同様に、第一無線装置10内の無線信号制御部107から、信号制御部405および受信占有帯域制御部409を介して、占有帯域変更の指示となる占有帯域設定信号nを受け取った第一無線装置10内の復調器105にて、占有周波数帯域を隣接チャンネル干渉波の影響を受けない設定から元の設定に戻す（ステップS53）。
【００７６】
（ステップS54及びステップS55）
第二無線装置20内の無線信号制御部207から、信号制御部405および送信変調方式制御部410を介して、変調方式変更の指示となる変調方式設定信号pを受け取った第二無線装置20内の変調器204にて、変調方式を隣接チャンネル干渉波の影響を受けない設定から元の設定に戻す（ステップS54）。
同様に、第一無線装置10内の無線信号制御部107から、信号制御部405および受信変調方式制御部411を介して、変調方式変更の指示となる変調方式設定信号pを受け取った第一無線装置10内の復調器105にて、変調方式を隣接チャンネル干渉波の影響を受けない設定から元の設定に戻す（ステップS55）。
【００７７】
（ステップS56−ステップS59）
しかる後、第二無線装置20内の無線信号制御部207の判断部403は、第二無線装置20および相手側の第一無線装置10の双方ともに、無線周波数、占有帯域、変調方式の変更設定が完了したか否かを確認し（ステップS56）、設定変更が完了したことを認識した場合（ステップS56のYes）、無線送信系として元の無線チャンネルf0'を用いた設定への復帰動作を完了し、無線送信動作を開始する（ステップS58）。
同様に、第一無線装置10内の無線信号制御部107の判断部403は、自第一無線装置10および相手側の第二無線装置20の双方ともに、無線周波数、占有帯域、変調方式の変更設定が完了したか否かを確認し（ステップS57）、変更設定が完了した場合（ステップS57のYes）、無線受信系として元の無線チャンネルf0'を用いた設定への復帰動作を完了し、無線受信動作を開始する（ステップS59）。
【００７８】
（ステップS60及びステップS61）
一方、第二無線装置20内の無線信号制御部207の判断部403は、変更設定が完了したことを認識できなかった場合（ステップS56のNo）、元の設定への復帰動作が失敗した場合であり、元の設定に復帰前の隣接チャンネル干渉波の影響を受けない設定に一旦復帰させた後（ステップS60）、ステップS45に戻り、相手側の第一無線装置10からの再度の設定復帰要求を待ち合わせる状態に戻る。
同様に、第一無線装置10内の無線信号制御部107の判断部403は、変更設定が完了したことを認識できなかった場合（ステップS57のNo）、元の設定への復帰動作が失敗した場合であり、元の設定に復帰前の隣接チャンネル干渉波の影響を受けない設定に一旦復帰させた後（ステップS61）、図６に示したステップS31に復帰して、再度回線品質の劣化の解消を検出する動作からやり直す。
以上の動作のように、隣接チャンネル干渉波による回線品質の劣化の解消を検知した場合には、隣接チャンネル干渉波の影響を受けない無線周波数f1'を用いた設定から、元の無線周波数f0'を用いた設定に復帰させる。
【００７９】
［設定変更の概略動作］
本発明の無線通信システム、無線通信方法および無線通信プログラムの一実施形態として図１〜図７Bに示した無線通信システムの動作例と、図８の説明図を参照して説明する。
図８は図１〜図７Bに示した無線通信システムの動作の一例を説明するための説明図であり、第一無線装置10のReturn（下り回線：無線受信周波数f0'）が隣接チャンネル干渉波の影響により回線伝送品質が劣化した場合を例にとって、隣接チャンネル干渉波の影響を受けないように無線周波数、占有帯域、変調方式を変更するための動作の一例を説明している。
【００８０】
隣接チャンネル干渉波の影響を受ける前の元の設定は、無線周波数ｆ0'、変調方式QPSKで、自無線回線の無線占有帯域全てを使用した無線伝送を行っており、隣接チャンネル干渉が上下両方の隣接チャンネルから影響を受け、干渉波の影響がない帯域（BB）が当初の１／２に至った例で、この結果、無線周波数ｆ1'、変調方式16QAM、無線占有帯域を１／２に設定変更した例である。
なお、図８は図面簡素化を図るために各機能ブロックの名称の記載を省略して、図１に付した符号のみを各機能ブロックの枠内に記載して表示している。
【００８１】
隣接チャンネル干渉波の影響を受ける前の通常運用時の例を図８の(1)に示している。第一無線装置10、第二無線装置20ともに変調方式をQPSKで運用し、第二無線装置20に入力される送信データeが、無線周波数f0'を用いて対向局の第一無線装置10へ無線伝送され、第一無線装置10から受信データdとして外部に出力する様子を示している。
【００８２】
一方、隣接チャンネル干渉波の影響を回避した設定は図８の(2)に示している。
これによると、回線伝送品質劣化を回避する設定時は、検出した隣接チャンネル干渉波の影響を受けない占有帯域（ここでは一例として通常運用時の１／２とする）、またその占有帯域の中心周波数となるf1'を用いて、かつ16QAM変調方式（通常運用時と伝送容量が変わらない変調方式）に第一無線装置10は受信側を、第二無線装置20は送信側を変更して、第二無線装置20に入力される送信データeが、無線周波数f1'を用いて対向局の第一無線装置10へ無線伝送され、第一無線装置10から受信データdとして外部に出力する様子を示している。
【００８３】
図８に示す隣接チャンネル干渉波の影響を受けていない通常運用時にて、無線周波数f0'のQPSK（Quadrature Phase Shift Keying：４位相偏移変調）変調方式を用いて運用していた際に、自無線回線の隣接チャンネルに新たに隣接チャンネル干渉波が追加された場合、「隣接チャンネル干渉発生状況」に示す斜線部のような干渉が発生して、自無線回線のQPSK信号にエラーが発生することになる。隣接チャンネル干渉が発生した場合、該隣接チャンネル干渉が継続する限りf0'の無線周波数で運用中の無線通信伝送品質が低下した状態が継続してしまう。
【００８４】
本実施形態では、隣接チャンネル干渉による伝送品質の劣化状態が発生した場合には、図８に示す隣接チャンネル干渉波の影響を回避した設定時のように、隣接チャンネル干渉波を検波し、検出した伝送品質の劣化が発生しない無線帯域に設定を変更することにより、隣接チャンネル干渉による伝送品質の劣化状態から脱して、無線伝送品質を改善することができる。また、無線送信系と無線受信系を独立して設定変更することで、隣接チャンネル干渉による伝送品質の劣化が発生していないf0の無線周波数で伝送する無線回線は、設定変更することなく運用を継続できる。
【００８５】
無線信号の伝送容量をそのまま維持するために、変更した占有帯域に合わせて変調方式２ＮのＮを変更する。通常状態の変調方式がQPSK（Ｎ＝２）の時占有帯域を１／２に変更した場合、変調方式２ＮのＮを２倍の１６QAM（Ｎ＝２×２）へ変更する。例えば占有帯域を１／４に変更した場合は変調方式２ＮのＮを４倍の２５６QAM（Ｎ＝２×４）へ変更する。また、通常状態が１６QAM（Ｎ＝４）で占有帯域を１／２に変更した場合は２５６QAM（Ｎ＝４×２）へ変更し伝送容量を設定変更前後で維持する。
【００８６】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【００８７】
以上説明した各実施形態及び実施例の無線通信システム、無線装置、及びそれらの無線通信方法の全部又は一部は、ハードウェア、ソフトウェア又はこれらの組合せにより実現することができる。ここで、ソフトウェアによって実現されるとは、コンピュータがプログラムを読み込んで実行することにより実現されることを意味する。ハードウェアで構成する場合、図１〜図３に示す、無線通信システム、無線装置の構成部の一部又は全部を、例えば、ＬＳＩ(Large Scale Integrated circuit)、ＡＳＩＣ(Application Specific Integrated Circuit)、ゲートアレイ、ＦＰＧＡ(Field Programmable Gate Array)等の集積回路（ＩＣ）で構成することができる。
【００８８】
ソフトウェアで構成する場合、アンテナ部１０９、２０９等のハードウェアで構成される部分以外の図１〜図３に示す、第一又は第二無線装置の構成部の一部（例えば、隣接干渉波検出部１０６，２０６、無線信号制御部１０７，２０７）又は全部の機能を、当該機能を記述したプログラムを記憶した、ハードディスク、ＲＯＭ等の記憶部、液晶ディスプレイ等の表示部、演算に必要なデータを記憶するＤＲＡＭ、ＣＰＵ、各部を接続するバスで構成されたコンピュータにおいて、演算に必要な情報をＤＲＡＭに記憶し、ＣＰＵで当該プログラムを動作させることで実現することができる。
【００８９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
上記の実施形態の一部又は全部は、以下の付記のようにも記載されうるが、以下には限られない。
【００９０】
（付記１）
対向する二つの第一無線装置と第二無線装置の間をポイントツーポイントの無線通信を行う無線通信システムであって、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する前記無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように各々個別に変調方式を変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の前記第一又は第二無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有することを特徴とする無線通信システム。
【００９１】
（付記２）
前記制御手段は、前記隣接干渉波検出手段にて隣接チャンネル干渉波が検出されなくなると、隣接チャンネル干渉波による無線伝送品質劣化を回避した設定から、元の設定に戻すために、前記無線周波数変更手段、前記占有帯域変更手段、前記変調方式変更手段により前記受信器の動作周波数、前記復調器の無線占有帯域、前記復調器の変調方式を、無線伝送品質の劣化を回避した設定から元の設定に戻すか、または無線対向する相手側の前記第一又は第二無線装置から前記隣接チャンネル干渉波が検出されなくなった通知を受け取った場合に、前記無線周波数変更手段、前記占有帯域変更手段、前記変調方式変更手段により前記送信器の動作周波数、前記変調器の無線占有帯域、前記変調器の変調方式を、無線伝送品質の劣化を回避した設定から元の設定に戻す付記１に記載の無線通信システム。
【００９２】
（付記３）
前記隣接干渉波検出手段は、無線回線帯域と前後の所定の帯域を受信する無線回線受信手段、隣接チャンネル波を含む受信信号から自無線信号を除去する無線信号除去手段、自無線信号を除去された干渉波受信信号を受け自無線回線帯域と前後の所定の帯域の周波数毎の干渉波受信レベルを検出する受信レベル検出手段とを備えた付記１又は２に記載の無線通信システム。
【００９３】
（付記４）
対向する二つの第一無線装置と第二無線装置の間をポイントツーポイントの無線通信を行い、
前記第一無線装置および前記第二無線装置のそれぞれは、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線通信システムの無線通信方法であって、
前記第一無線装置において、
無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップと、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する第１の変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二無線装置に、前記隣接チャンネル干渉波による前記受信信号の無線伝送品質の劣化通知を送信する送信ステップと、を行い、
前記第二無線装置において、
前記第一無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一無線装置から前記劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を有する無線通信方法。
【００９４】
（付記５）
前記第１の制御ステップは、前記隣接干渉波検出ステップにて隣接チャンネル干渉波が検出されなくなると、隣接チャンネル干渉波による無線伝送品質劣化を回避した設定から、元の設定に戻すために、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を、無線伝送品質の劣化を回避した設定から元の設定に戻すように制御し、
前記第２の制御ステップは、無線対向する第一無線装置から前記隣接チャンネル干渉波が検出されなくなった通知を受け取った場合に、前記第２の無線周波数変更ステップ、前記第２の占有帯域変更ステップ、前記第２の変調方式変更ステップ段を用いて前記送信器の動作周波数、前記変調器の無線占有帯域、前記変調器の変調方式を、無線伝送品質の劣化を回避した設定から元の設定に戻ように制御する付記４に記載の無線通信方法。
【００９５】
（付記６）
前記隣接干渉波検出ステップは、無線回線帯域と前後の所定の帯域を受信する無線回線受信ステップ、隣接チャンネル波を含む受信信号から自無線信号を除去する無線信号除去ステップ、干渉波受信信号を受け無線回線帯域と前後の所定の帯域の周波数毎の干渉波受信レベルを検出する受信レベル検出ステップとを備えている付記４又は５に記載の無線通信方法。
【００９６】
（付記７）
対向する二つの無線装置の間をポイントツーポイントの無線通信を行う無線通信システムの無線装置であって、
前記無線装置は、無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、
自無線回線の受信信号の無線伝送品質が劣化したか否かを検出する回線品質監視手段と、
受信信号の伝送品質が劣化した原因が、自無線装置が使用する前記無線周波数として占有する無線周波数帯域への隣接チャンネル干渉波によるものか否かを検出する隣接干渉波検出手段と、
前記送信器及び前記受信器の動作周波数を、隣接チャンネル干渉波による無線伝送品質の劣化を回避するために、隣接チャンネル干渉の影響を受けない無線周波数へ各々個別に変更する無線周波数変更手段と、
前記変調器及び前記復調器の無線占有帯域を、隣接チャンネル干渉波による無線伝送品質の劣化を回避するために、隣接チャンネル干渉の影響を受けない無線占有帯域へ各々個別に変更する占有帯域変更手段と、
前記変調器及び前記復調器の変調方式を、変更した占有帯域に合わせて設定変更前後で伝送容量が変わらないように変調方式を各々個別に変更する変調方式変更手段と、
前記隣接チャンネル干渉波により前記受信信号の無線伝送品質が劣化したと判定した場合に、前記無線周波数変更手段、前記占有帯域変更手段、前記変調方式変更手段により前記受信器の動作周波数、前記復調器の無線占有帯域、前記復調器の変調方式を変更し、または無線対向する相手側の無線装置から前記隣接チャンネル干渉波による前記受信信号の無線伝送品質の劣化通知を受け取った場合に、前記無線周波数変更手段、前記占有帯域変更手段、前記変調方式変更手段により前記送信器の動作周波数、前記変調器の無線占有帯域、前記変調器の変調方式を変更する制御手段と、
を有する無線装置。
【００９７】
（付記８）
前記制御手段は、前記隣接干渉波検出手段にて隣接チャンネル干渉波が検出されなくなると、隣接チャンネル干渉波による無線伝送品質劣化を回避した設定から、元の設定に戻すために、前記無線周波数変更手段、前記占有帯域変更手段、前記変調方式変更手段により前記受信器の動作周波数、前記復調器の無線占有帯域、前記復調器の変調方式を、無線伝送品質の劣化を回避した設定から元の設定に戻すか、または無線対向する相手側の前記第一又は第二無線装置から前記隣接チャンネル干渉波が検出されなくなった通知を受け取った場合に、前記無線周波数変更手段、前記占有帯域変更手段、前記変調方式変更手段により前記送信器の動作周波数、前記変調器の無線占有帯域、前記変調器の変調方式を、無線伝送品質の劣化を回避した設定から元の設定に戻す付記７に記載の無線通信装置。
【００９８】
（付記９）
前記隣接干渉波検出手段は、無線回線帯域と前後の所定の帯域を受信する無線回線受信手段、隣接チャンネル波を含む受信信号から自無線信号を除去する無線信号除去手段、自無線信号を除去された干渉波受信信号を受け自無線回線帯域と前後の所定の帯域の周波数毎の干渉波受信レベルを検出する受信レベル検出手段とを備えた付記７又は８に記載の無線通信装置。
【００９９】
（付記１０）
対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置の無線通信方法であって、
自無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を行う無線通信方法。
【０１００】
（付記１１）
前記第１の制御ステップは、前記隣接干渉波検出ステップにて隣接チャンネル干渉波が検出されなくなると、隣接チャンネル干渉波による無線伝送品質劣化を回避した設定から、元の設定に戻すために、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を、無線伝送品質の劣化を回避した設定から元の設定に戻すように制御し、
前記第２の制御ステップは、無線対向する第一無線装置から前記隣接チャンネル干渉波が検出されなくなった通知を受け取った場合に、前記第２の無線周波数変更ステップ、前記第２の占有帯域変更ステップ、前記第２の変調方式変更ステップを用いて前記送信器の動作周波数、前記変調器の無線占有帯域、前記変調器の変調方式を、無線伝送品質の劣化を回避した設定から元の設定に戻ように制御する付記１０に記載の無線通信方法。
【０１０１】
（付記１２）
前記隣接干渉波検出ステップは、無線回線帯域と前後の所定の帯域を受信する無線回線受信ステップ、隣接チャンネル波を含む受信信号から自無線信号を除去する無線信号除去ステップ、干渉波受信信号を受け無線回線帯域と前後の所定の帯域の周波数毎の干渉波受信レベルを検出する受信レベル検出ステップとを備えている付記１０又は１１に記載の無線通信方法。
【０１０２】
（付記１３）
対向する相手側の無線装置とポイントツーポイントの無線通信を行い、
無線周波数帯域の中心周波数である動作周波数を設定できる送信器と、変調方式および無線占有帯域を設定できる変調器とを有する無線送信系と、
無線周波数帯域の中心周波数である動作周波数を設定できる受信器と、変調方式および無線占有帯域を設定できる復調器とを有する無線受信系と、を有する無線装置としてのコンピュータに、
自無線回線の受信信号の無線伝送品質が劣化したか否かを検出する検出ステップと、
受信信号の伝送品質が劣化した原因が、自無線装置が使用する前記無線周波数として占有する無線周波数帯域への隣接チャンネル干渉波によるものか否かを検出する隣接干渉波検出ステップと、
前記受信器の動作周波数を、隣接チャンネル干渉波による無線伝送品質の劣化を回避するために、隣接チャンネル干渉の影響を受けない無線周波数へ変更する第１の無線周波数変更ステップ、
前記復調器の無線占有帯域を、隣接チャンネル干渉波による無線伝送品質の劣化を回避するために、隣接チャンネル干渉の影響を受けない無線占有帯域へ変更する第１の占有帯域変更ステップと、
前記復調器の変調方式を、変更した占有帯域に合わせて設定変更前後で伝送容量が変わらないように変調方式を変更する変調方式変更ステップと、
受信信号の伝送品質が劣化した原因が、自無線装置が使用する前記無線周波数として占有する無線周波数帯域への隣接チャンネル干渉波によるものか否かを検出したときに、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を変更するように制御する第１の制御ステップと、
受信信号の伝送品質が劣化した原因が、自無線装置が使用する前記無線周波数として占有する無線周波数帯域への隣接チャンネル干渉波によるものか否かを検出したときに、前記第二の無線装置に、前記隣接チャンネル干渉波による前記受信信号の無線伝送品質の劣化通知を送信する送信ステップと、
を行う第１の処理か、
前記第一の無線装置から前記劣化通知を受け取る受信ステップと、
前記送信器の動作周波数を、前記劣化通知に基づいて、隣接チャンネル干渉波による無線伝送品質の劣化を回避するために、隣接チャンネル干渉の影響を受けない無線周波数へ変更する第２の無線周波数変更ステップと、
前記変調器の無線占有帯域を、前記劣化通知に基づいて、隣接チャンネル干渉波による無線伝送品質の劣化を回避するために、隣接チャンネル干渉の影響を受けない無線占有帯域へ変更する第２の占有帯域変更ステップと、
前記変調器の変調方式を、前記劣化通知に基づいて、変更した占有帯域に合わせて設定変更前後で伝送容量が変わらないように変調方式を変更する第２の変調方式変更ステップと、
前記第一の無線装置から前記隣接チャンネル干渉波による前記受信信号の無線伝送品質の劣化通知を受け取った場合に、前記第２の無線周波数変更ステップ、前記第２の占有帯域変更ステップ、前記第２の変調方式変更手段を用いて前記送信器の動作周波数、前記変調器の無線占有帯域、前記変調器の変調方式を変更するように制御する第２の制御ステップと、
を行う第２の処理かの少なくとも一方を実行させる無線通信プログラム。
【０１０３】
（付記１４）
前記第１の制御ステップは、前記隣接干渉波検出ステップにて隣接チャンネル干渉波が検出されなくなると、隣接チャンネル干渉波による無線伝送品質劣化を回避した設定から、元の設定に戻すために、前記第１の無線周波数変更ステップ、前記第１の占有帯域変更ステップ、前記第１の変調方式変更ステップを用いて前記受信器の動作周波数、前記復調器の無線占有帯域、前記復調器の変調方式を、無線伝送品質の劣化を回避した設定から元の設定に戻すように制御し、
前記第２の制御ステップは、無線対向する第一無線装置から前記隣接チャンネル干渉波が検出されなくなった通知を受け取った場合に、前記第２の無線周波数変更ステップ、前記第２の占有帯域変更ステップ、前記第２の変調方式変更ステップを用いて前記送信器の動作周波数、前記変調器の無線占有帯域、前記変調器の変調方式を、無線伝送品質の劣化を回避した設定から元の設定に戻ように制御する付記１３に記載の無線通信プログラム。
【０１０４】
（付記１５）
前記隣接干渉波検出ステップは、無線回線帯域と前後の所定の帯域を受信する無線回線受信ステップ、隣接チャンネル波を含む受信信号から自無線信号を除去する無線信号除去ステップ、干渉波受信信号を受け無線回線帯域と前後の所定の帯域の周波数毎の干渉波受信レベルを検出する受信レベル検出ステップとを備えている付記１２又は１３に記載の無線通信プログラム。
【産業上の利用可能性】
【０１０５】
本発明は、無線空間対向させる固定型ポイントツーポイントで無線通信を行う無線通信システム、無線装置に適用することができる。
【符号の説明】
【０１０６】
１０１  無線装置（第一無線装置）
１０２  送信器
１０３  受信器
１０４  変調器
１０５  復調器
１０６  隣接干渉波検出部
１０７  無線信号制御部
１０８  無線信号分配器
１０９  アンテナ部
１１０  インタフェース部
２０１  無線装置（第二無線装置）
２０２  送信器
２０３  受信器
２０４  変調器
２０５  復調器
２０６  隣接干渉波検出部
２０７  無線信号制御部
２０８  無線信号分配器
２０９  アンテナ部
２１０  インタフェース部
３０１  自無線回線受信器
３０２  自無線信号除去フィルタ
３０３  受信レベル検出器
４０１  回線品質監視部
４０２  対向局間同期判定部
４０３  判断部
４０４  設定部
４０５  信号制御部
４０６  送信周波数制御部
４０７  受信周波数制御部
４０８  送信占有帯域制御部
４０９  受信占有帯域制御部
４１０  送信変調方式制御部
４１１  受信変調方式制御部
ａ  無線受信信号
ｂ  受信信号
ｃ  復調信号
ｄ  受信データ
ｅ  送信データ
ｆ  伝送データ
ｇ  変調信号
ｈ  無線送信信号
ｊ  受信情報
ｋ  無線受信信号受信レベル
ｍ  周波数設定信号
ｎ  占有帯域設定信号
ｐ  変調方式設定信号
ｑ  干渉波受信レベル
r  受信信号
ｓ  干渉波受信信号
Ａ  回線品質信号
Ｂ  回線劣化信号
Ｄ  対向局設定変更要求信号
Ｅ  応答信号
Ｆ  設定情報
Ｇ  無線制御信号
Ｈ  周波数信号
Ｍ  占有帯域信号
Ｎ  変調方式信号
【図１】
2017228911.tif 000003
【図２】
2017228911.tif 000004
【図３】
2017228911.tif 000005
【図４】
2017228911.tif 000006
【図５】
2017228911.tif 000007
【図６】
2017228911.tif 000008
【図７Ａ】
2017228911.tif 000009
【図７Ｂ】
2017228911.tif 000010
【図８】
2017228911.tif 000011